(57)【要約】【課題】電子端末としての携帯電話機とＰＤＡとの間で充電制御を行う。【解決手段】携帯電話機１、ＰＤＡ２は、それぞれ、電池、残量検知部、電源制御部を備える。ＰＤＡ２がマスタ、携帯電話機１がスレーブとなるように、ＰＤＡ２と携帯電話機１とがＵＳＢ−ＯＴＧケーブル３を介して接続された場合、携帯電話機１の電源制御部は、メモリに記憶された携帯電話機１の電池の電池残量をメモリから読み出す。携帯電話機１の電源制御部は、ＰＤＡ２の電池残量情報を、ＰＤＡ２から受信する。そして、ＰＤＡ２の電池の電池残量が携帯電話機１の電池の電池残量を越えていれば、携帯電話機１の電源制御部は、携帯電話機１の電池への充電を行い、また、以下になると、携帯電話機１の電源制御部は、携帯電話機１の電池への充電を停止する。【選択図】図１
2005287278.tif 000002
【特許請求の範囲】
【請求項１】
電流供給側電子端末の電流供給用電池から電流被供給側電子端末の充電用電池への充電制御を行う電子端末の充電制御装置において、
前記充電用電池の残容量に関する電池残量情報を取得する第１の電池残量情報取得部と、
前記電流供給用電池の残容量に関する電池残量情報を取得する第２の電池残量情報取得部と、
前記第１の電池残量取得部が取得した電池残量情報と前記第２の電池残量情報取得部が取得した電池残量情報とを参照し、参照した電池残量情報に基づいて、前記充電用電池への充電を制御する充電制御部と、を備えた、
ことを特徴とする電子端末の充電制御装置。
【請求項２】
前記充電制御部は、参照した電池残量情報に基づいて、前記電流供給用電池の電池残量と前記充電用電池の電池残量とを比較して、その大小を判定し、前記電流供給用電池の電池残量が前記充電用電池の電池残量を越えていると判定した場合は、前記充電用電池への充電を行い、前記電流供給用電池の電池残量が前記充電用電池の電池残量以下と判定した場合は、前記充電を停止する、
ことを特徴とする請求項１に記載の電子端末の充電制御装置。
【請求項３】
前記充電制御部は、参照した電池残量情報に基づいて、前記電流供給用電池の電池残量と前記充電用電池の電池残量とを比較して、その大小を判定し、前記電流供給用電池の電池残量が前記充電用電池の電池残量以下と判定した場合、前記電流供給用電池の電池残量が前記充電用電池の電池残量を越えていると判定した場合よりも充電電流が少なくなるように、前記充電用電池への充電電流を制御する、
ことを特徴とする請求項１に記載の電子端末の充電制御装置。
【請求項４】
前記第１の電池残量情報取得部は、前記電池残量情報として、前記充電用電池の満充電時の全電池容量と現在残っている現存電池容量とを取得し、
前記第２の電池残量情報取得部は、前記電池残量情報として、前記電流供給用電池の満充電時の全電池容量と現在残っている現存電池容量とを取得し、
前記充電制御部は、前記第１の電池残量取得部が取得した電池残量情報と前記第２の電池残量情報取得部が取得した電池残量情報とを参照し、参照した電池残量情報に基づいて、前記充電用電池の前記全電池容量と前記現存電池容量との比、前記電流供給用電池の前記全電池容量と前記現存電池容量との比をそれぞれ求め、求めた前記充電用電池の比、前記電流供給用電池の比を、それぞれ、前記充電用電池の電池残量率、電流供給用電池の電池残量率として両電池残量率を比較し、比較結果に基づいて、前記充電用電池への充電を制御する、
ことを特徴とする請求項１乃至３のいずれか１項に記載の電子端末の充電制御装置。
【請求項５】
前記第１の電池残量情報取得部は、前記電池残量情報として、前記電流被供給側電子端末の消費電流と前記充電用電池の現在残っている現存電池容量とを取得して前記電流被供給側電子端末の稼働可能な稼働残り時間を求め、
前記第２の電池残量情報取得部は、前記電池残量情報として、前記電流供給側電子端末の消費電流と前記電流供給用電池の現在残っている現存電池容量とを取得して前記電流供給側電子端末の稼働可能な稼働残り時間を求め、
前記充電制御部は、両稼働残り時間を比較し、比較結果に基づいて、前記充電用電池への充電を制御する、
ことを特徴とする請求項１乃至３のいずれか１項に記載の電子端末の充電制御装置。
【請求項６】
電流供給側電子端末の電流供給用電池から電流被供給側電子端末の充電用電池への充電制御を行う電子端末の充電制御装置において、
前記電流供給側電子端末は、前記充電用電池への充電を制御する充電制御部を備えた、
ことを特徴とする電子端末の充電制御装置。
【請求項７】
前記充電制御部は、前記電流供給用電池の電池残量と前記電池残量に対して予め設定された閾値とを比較し、前記電流供給用電池の電池残量が前記閾値を越えている場合、前記充電用電池への充電を許可し、前記電流供給用電池の電池残量が前記閾値以下の場合、前記充電用電池への充電を不可とする、
ことを特徴とする請求項６に記載の電子端末の充電制御装置。
【請求項８】
前記充電用電池への充電制御を指示する充電スイッチを備え、
前記充電制御部は、前記充電スイッチのスイッチ状態に基づいて、前記充電用電池への充電を制御する、
ことを特徴とする請求項６又は７に記載の電子端末の充電制御装置。
【請求項９】
電流供給側電子端末の電流供給用電池から電流被供給側電子端末の充電用電池への充電を制御する電子端末の充電制御方法であって、
前記電流供給用電池の電池残量情報を取得するステップと、
前記充電用電池の電池残量情報を取得するステップと、
取得した電池残量情報を参照し、参照した電池残量情報に基づいて、前記電流供給用電池、前記充電用電池の電池残量の大小を判定するステップと、
前記判定結果に基づいて前記充電用電池への充電を制御するステップと、を備えた、
ことを特徴とする電子端末の充電制御方法。
【発明の詳細な説明】
【技術分野】
【０００１】
本発明は、電子端末の充電制御装置及び電子端末の充電制御方法に関するものである。
【背景技術】
【０００２】
近年、ＵＳＢ（Universal Serial Bus）の普及に伴い、充電用電池を搭載した複数の電子端末、例えば、携帯情報端末（ＰＤＡ；Personal Digital Assistance、以後「ＰＤＡ」と記す。）と携帯電話機との間でＵＳＢ経由で充電を行う技術が提唱されている（例えば、特許文献１参照）。
【特許文献１】特開２００３−６１２５６号公報（第５−１１頁、図１，２）
【発明の開示】
【発明が解決しようとする課題】
【０００３】
しかし、従来のこのような電子端末が搭載する充電用電池の容量は、それほど大きいものではない。このような複数の電子端末の間で充電を行った場合、電流供給側電子端末は、自らも電力を消費し、加えて電流被供給側電子端末にも電流を供給しなければならない。
【０００４】
このため、電流供給側電子端末の電池残量と電流被供給側電子端末との電池残量とが不当に逆転し、電流供給側電子端末の稼働時間が、電流被供給側電子端末の稼働時間よりも短くなってしまうという事態も起こりうる。
【０００５】
前記特許文献１のものでは、ＵＳＢケーブルの向きを差し替えて、充電方向を変更することにより、このような事態を回避している。しかし、かかる方法では、電流供給側電子端末、電流被供給側電子端末の動作を一時中断させなければならず、例えば、ＰＤＡに携帯電話機を接続して通信を行う場合に、通信を一時途絶させなければならなくなる。
【０００６】
本発明は、このような従来の問題点に鑑みてなされたもので、電流供給側電子端末の電流供給用電池と電流被供給側電子端末の充電用電池との電池残量を適正な量とすることが可能な電子端末の充電制御装置及び電子端末の充電制御方法を提供することを目的とする。
【課題を解決するための手段】
【０００７】
この目的を達成するため、本発明の第１の観点に係る電子端末の充電制御装置は、
電流供給側電子端末の電流供給用電池から電流被供給側電子端末の充電用電池への充電制御を行う電子端末の充電制御装置において、
前記充電用電池の残容量に関する電池残量情報を取得する第１の電池残量情報取得部と、
前記電流供給用電池の残容量に関する電池残量情報を取得する第２の電池残量情報取得部と、
前記第１の電池残量取得部が取得した電池残量情報と前記第２の電池残量情報取得部が取得した電池残量情報とを参照し、参照した電池残量情報に基づいて、前記充電用電池への充電を制御する充電制御部と、を備えたことを特徴とする。
【０００８】
前記充電制御部は、参照した電池残量情報に基づいて、前記電流供給用電池の電池残量と前記充電用電池の電池残量とを比較して、その大小を判定し、前記電流供給用電池の電池残量が前記充電用電池の電池残量を越えていると判定した場合は、前記充電用電池への充電を行い、前記電流供給用電池の電池残量が前記充電用電池の電池残量以下と判定した場合は、前記充電を停止するようにしてもよい。
【０００９】
前記充電制御部は、参照した電池残量情報に基づいて、前記電流供給用電池の電池残量と前記充電用電池の電池残量とを比較して、その大小を判定し、前記電流供給用電池の電池残量が前記充電用電池の電池残量以下と判定した場合、前記電流供給用電池の電池残量が前記充電用電池の電池残量を越えていると判定した場合よりも充電電流が少なくなるように、前記充電用電池への充電電流を制御するようにしてもよい。
【００１０】
前記第１の電池残量情報取得部は、前記電池残量情報として、前記充電用電池の満充電時の全電池容量と現在残っている現存電池容量とを取得し、
前記第２の電池残量情報取得部は、前記電池残量情報として、前記電流供給用電池の満充電時の全電池容量と現在残っている現存電池容量とを取得し、
前記充電制御部は、前記第１の電池残量取得部が取得した電池残量情報と前記第２の電池残量情報取得部が取得した電池残量情報とを参照し、参照した電池残量情報に基づいて、前記充電用電池の前記全電池容量と前記現存電池容量との比、前記電流供給用電池の前記全電池容量と前記現存電池容量との比をそれぞれ求め、求めた前記充電用電池の比、前記電流供給用電池の比を、それぞれ、前記充電用電池の電池残量率、電流供給用電池の電池残量率として両電池残量率を比較し、比較結果に基づいて、前記充電用電池への充電を制御するようにしてもよい。
【００１１】
前記第１の電池残量情報取得部は、前記電池残量情報として、前記電流被供給側電子端末の消費電流と前記充電用電池の現在残っている現存電池容量とを取得して前記電流被供給側電子端末の稼働可能な稼働残り時間を求め、
前記第２の電池残量情報取得部は、前記電池残量情報として、前記電流供給側電子端末の消費電流と前記電流供給用電池の現在残っている現存電池容量とを取得して前記電流供給側電子端末の稼働可能な稼働残り時間を求め、
前記充電制御部は、両稼働残り時間を比較し、比較結果に基づいて、前記充電用電池への充電を制御するようにしてもよい。
【００１２】
本発明の第２の観点に係る電子端末の充電制御装置は、
電流供給側電子端末の電流供給用電池から電流被供給側電子端末の充電用電池への充電制御を行う電子端末の充電制御装置において、
前記電流供給側電子端末は、前記充電用電池への充電を制御する充電制御部を備えたことを特徴とする。
【００１３】
前記充電制御部は、前記電流供給用電池の電池残量と前記電池残量に対して予め設定された閾値とを比較し、前記電流供給用電池の電池残量が前記閾値を越えている場合、前記充電用電池への充電を許可し、前記電流供給用電池の電池残量が前記閾値以下の場合、前記充電用電池への充電を不可とするようにしてもよい。
【００１４】
前記充電用電池への充電を制御する充電スイッチを備え、
前記充電制御部は、前記充電スイッチの開閉状態に基づいて、前記充電用電池への充電を制御するようにしてもよい。
【００１５】
本発明の第３の観点に係る電子端末の充電制御方法は、
電流供給側電子端末の電流供給用電池から電流被供給側電子端末の充電用電池への充電を制御する電子端末の充電制御方法であって、
前記電流供給用電池の電池残量情報を取得するステップと、
前記充電用電池の電池残量情報を取得するステップと、
取得した電池残量情報を参照し、参照した電池残量情報に基づいて、前記電流供給用電池、前記充電用電池の電池残量の大小を判定するステップと、
前記判定結果に基づいて前記充電用電池への充電を制御するステップと、を備えたことを特徴とする。
【発明の効果】
【００１６】
本発明によれば、電流供給側電子端末の電流供給用電池と電流被供給側電子端末の充電用電池との電池残量を適正な量にすることができる。
【発明を実施するための最良の形態】
【００１７】
以下、本発明の実施形態に係る電子端末を図面を参照して説明する。
（実施形態１）
実施形態１では、電子端末として、図１に示すように、携帯電話機１とＰＤＡ２とが用いられた例について説明する。
【００１８】
携帯電話機１とＰＤＡ２とは、ＵＳＢ−ＯＴＧ（ON-The-Go）ケーブル３を介して接続される。携帯電話機１、ＰＤＡ２は、それぞれ、ＵＳＢ−ＯＴＧケーブル３接続用のコネクタ１ｃ、２ｃを備える。
【００１９】
ＵＳＢ−ＯＴＧは、ＵＳＢ対応の周辺機器同士をコンピュータを経由せずに直接接続して利用できるように規格化されたものである。ＵＳＢ−ＯＴＧでは、一方の電子端末をマスタ（装置）、他方の電子端末をスレーブ（装置）として用いることができる。
【００２０】
ＵＳＢ−ＯＴＧケーブル３は、データラインと電源ラインＶＢＵＳとを有する。データラインは、接続された機器間でデータ伝送を行うためのラインであり、電源ラインＶＢＵＳは、接続された機器間で電流供給を行うためのラインである。
【００２１】
ＵＳＢ−ＯＴＧケーブル３の両端には、Ａプラグ３Ａ、Ｂプラグ３Ｂが備えられている。Ａプラグ３Ａは、マスタ（装置）用のプラグであり、Ａプラグ３Ａがコネクタ１ｃ又は２ｃに接続されると、接続されたその装置は、マスタとして指定されたことを認識する。Ｂプラグ３Ｂは、スレーブ（装置）用のプラグであり、Ｂプラグ３Ｂがコネクタ１ｃ又は２ｃに接続されると、その装置は、スレーブとして指定されたことを認識する。
【００２２】
実施形態１では、ＰＤＡ２をマスタ、携帯電話機１をスレーブとして用いるものとして、ＰＤＡ２のコネクタ２ｃ、携帯電話機１のコネクタ１ｃに、それぞれ、ＵＳＢ−ＯＴＧケーブル３のＡプラグ３Ａ、Ｂプラグ３Ｂが接続される。
【００２３】
携帯電話機１は、図２に示すように、電池１１と、残量検知部１２と、メモリ１３と、表示部１４と、操作部１５と、送受信部１６と、電源制御部１７と、を備える。
【００２４】
ＰＤＡ２は、電池２１と、残量検知部２２と、メモリ２３と、表示部２４と、操作部２５と、送受信部２６と、電源制御部２７と、を備える。
【００２５】
ＰＤＡ２の電池２１、残量検知部２２、メモリ２３、表示部２４、操作部２５、送受信部２６、電源制御部２７は、それぞれ、携帯電話機１の電池１１、残量検知部１２、メモリ１３、表示部１４、操作部１５、送受信部１６、電源制御部１７と同様の機能を有するものである。ここでは、携帯電話機１の構成のみについて説明する。
【００２６】
携帯電話機１の電池１１は、充電可能な電池である。残量検知部１２は、電池１１の残量を検知するためのものである。
【００２７】
残量検知部１２は、例えば、増幅器とＡ／Ｄコンバータとを備え（図示せず）、電池１１の電圧を検出することにより、電池１１の現存電池容量ＲＥＡＬ１を定期的に検知する。現存電池容量ＲＥＡＬ１は、電池１１に現在残っている容量であり、これから使用可能な容量を示す。残量検知部１２は、現存電池容量ＲＥＡＬ１を検知する毎にメモリ１３に記憶する。
【００２８】
メモリ１３は、携帯電話機１の動作に必要なデータを記憶するためのものである。また、メモリ１３は、電池１１の残量に関する電池残量情報として、現存電池容量ＲＥＡＬ１とともに電池１１の全電池容量ＣＡＰＡＣＩＴＹ１を予め記憶する。全電池容量ＣＡＰＡＣＩＴＹ１は、電池１１に満充電時の全電池容量を示し、電池１１によって決定される値である。
【００２９】
表示部１４は、受信電波の信号レベル、通話状態等、携帯電話機１に必要な情報を表示するものであり、電池残量情報に基づいて、図１に示すような電池マークにより電池１１の電池残量率を表示する。電池残量率は、電池１１の全電池容量ＣＡＰＡＣＩＴＹ１と現存電池容量ＲＥＡＬ１との比（＝ＲＥＡＬ１／ＣＡＰＡＣＩＴＹ１）で表される。
【００３０】
操作部１５は、携帯電話機１を操作するための数字キー等を備えたものである。
送受信部１６は、Ｂプラグ３Ｂ、コネクタ１ｃを介して、ＰＤＡ２との間でデータを送受信するためのものである。
【００３１】
電源制御部１７は、ＣＰＵ（Central Processing Unit）、ＲＯＭ（Read Only Memory）、ＲＡＭ（Random Access Memory）等（図示せず）を備え、携帯電話機１の各部を制御するものである。
【００３２】
電源制御部１７は、携帯電話機１のコネクタ１ｃにＵＳＢ−ＯＴＧケーブル３のＢプラグ３Ｂが接続されて、携帯電話機１がスレーブとして設定されたことを認識すると、充電準備モードに移行させる。そして、電源制御部１７は、携帯電話機１の電池残量情報とＰＤＡ２の電池残量情報とを取得して参照し、参照した両電池残量情報に基づいて、電池１１への充電を制御する。
【００３３】
具体的には、電源制御部１７は、携帯電話機１の電池残量情報をメモリ１３から読み出すことによって取得する。電源制御部１７は、ＰＤＡ２の電池残量情報の送信をＰＤＡ２に要求して、ＵＳＢ−ＯＴＧケーブル３のデータライン、送受信部１６を介してＰＤＡ２の電池残量情報を取得する。
【００３４】
尚、ＰＤＡ２のメモリ２３は、電池２１の残量に関する電池残量情報として、電池２１の全電池容量ＣＡＰＡＣＩＴＹ２と現存電池容量ＲＥＡＬ２とを記憶する。全電池容量ＣＡＰＡＣＩＴＹ２は、電池２１の満充電時の全電池容量を示し、電池２１によって決定される値である。メモリ２３は、全電池容量ＣＡＰＡＣＩＴＹ２を予め記憶する。
【００３５】
現存電池容量ＲＥＡＬ２は、電池２１に現在残っている容量であり、これから使用可能な容量を示す。残量検知部２２は、電池２１の電圧を検出することにより、電池２１の現存電池容量を定期的に検知してメモリ２３に記憶する。電源制御部２７は、携帯電話機１からＰＤＡ２の電池残量情報の送信要求があると、メモリ２３に記憶したＰＤＡ２の電池残量情報を携帯電話機１に送信する。
【００３６】
電源制御部１７は、取得した電池１１の電池残量情報に基づいて電池１１の電池残量率（＝ＲＥＡＬ１／ＣＡＰＡＣＩＴＹ１）を求める。また、電源制御部１７は、取得した電池２１の電池残量情報に基づいて電池２１の電池残量率（＝ＲＥＡＬ２／ＣＡＰＡＣＩＴＹ２）を求める。
【００３７】
そして、電源制御部１７は、ＰＤＡ２の電池残量率と電池１１の電池残量率とを比較し、比較結果に基づいて電池１１への充電を制御する。
【００３８】
即ち、電源制御部１７は、ＰＤＡ２の電池残量率が携帯電話機１の電池残量率を越えている場合、ＰＤＡ２からの電流を電池１１に供給する。一方、ＰＤＡ２の電池残量率が携帯電話機１の電池残量率以下の場合、電源制御部１７は、電池１１への電流の供給を停止する。
【００３９】
次に実施形態１に係る携帯電話機１とＰＤＡ２との動作を説明する。
携帯電話機１の電源制御部１７は、コネクタ１ｃにＵＳＢ−ＯＴＧケーブル３のＢプラグ３Ｂが接続されると、携帯電話機１がスレーブとして設定されたことを認識し、充電準備モードに移行させる。ＰＤＡ２の電源制御部２７は、コネクタ２ｃにＵＳＢ−ＯＴＧケーブル３のＡプラグ３Ａが接続されると、ＰＤＡ２がマスタとして設定されたことを認識する。
【００４０】
携帯電話機１のメモリ１３は、電池１１の全電池容量ＣＡＰＡＣＩＴＹ１を予め記憶する。残量検知部１２は、電池１１の現存電池容量ＲＥＡＬ１を定期的に検知する。残量検知部１２は、検知する毎に電池１１の現存電池容量ＲＥＡＬ１をメモリ１３に記憶する。
【００４１】
また、ＰＤＡ２のメモリ２３は、電池２１の全電池容量ＣＡＰＡＣＩＴＹ２を予め記憶する。残量検知部２２は、電池２１の現存電池容量ＲＥＡＬ２を定期的に検知する。残量検知部２２は、検知する毎に電池２１の現存電池容量ＲＥＡＬ２をメモリ２３に記憶する。
【００４２】
携帯電話機１の電源制御部１７は、図３に示すフローチャートに従い、ＰＤＡ２の電源制御部２７と協働して電池１１の充電制御処理を定期的に実行する。
携帯電話機１の電源制御部１７は、メモリ１３から電池１１の電池残量情報として全電池容量ＣＡＰＡＣＩＴＹ１と現存電池容量ＲＥＡＬ１とを読み出す（ステップＳ１１）。
【００４３】
電源制御部１７は、ＰＤＡ２の電池残量情報の送信をＰＤＡ２に要求する（ステップＳ１２）。
ＰＤＡ２の電源制御部２７は、ＵＳＢ−ＯＴＧケーブル３のデータライン、送受信部２６を介して、携帯電話機１からの電池残量情報の送信要求を受信する（ステップＳ１３）。
【００４４】
電源制御部２７は、メモリ２３から電池２１の電池残量情報として全電池容量ＣＡＰＡＣＩＴＹ２と現存電池容量ＲＥＡＬ２とを読み出す（ステップＳ１４）。
電源制御部２７は、読み出した電池残量情報を送受信部２６、ＵＳＢ−ＯＴＧケーブル３のデータラインを介して携帯電話機１に送信する（ステップＳ１５）。
【００４５】
携帯電話機１の電源制御部１７は、送受信部１６を介してＰＤＡ２からの電池残量情報を受信する（ステップＳ１６）。
【００４６】
電源制御部１７は、メモリ１３から読み出した電池１１の電池残量情報と、ＰＤＡ２から受信した電池残量情報とに基づいて電池１１の電池残量率（＝ＲＥＡＬ１／ＣＡＰＡＣＩＴＹ１）と電池２１の電池残量率（＝ＲＥＡＬ２／ＣＡＰＡＣＩＴＹ２）とを求める。そして、電源制御部１７は、両電池残量率を比較する（ステップＳ１７）。
【００４７】
電源制御部１７は、マスタとしてのＰＤＡ２の電池２１の電池残量率が電池１１の電池残量率を越えているか否かを判定する（ステップＳ１８）。
【００４８】
電池２１の電池残量率が電池１１の電池残量率を越えていると判定した場合（ステップＳ１８においてＹｅｓ）、電源制御部１７は、電池１１を充電する（ステップＳ１９）。これにより、ＰＤＡ２の電池２１から携帯電話機１の電池１１へ、ＵＳＢ−ＯＴＧケーブル３の電源ラインＶＢＵＳを介して電流が流れる。
【００４９】
電池２１の電池残量率が電池１１の電池残量率以下と判定した場合（ステップＳ１８においてＮｏ）、電源制御部１７は、電池１１への充電を停止する（ステップＳ２０）。即ち、電源制御部１７は、ＰＤＡ２の電池２１から携帯電話機１の電池１１への電流の流れを遮断する。このようにして電源制御部１７は、この充電制御処理を終了させる。
【００５０】
尚、電源制御部１７は、電池１１への充電停止後も、この充電制御処理を定期的に実行する。そして、電池２１の電池残量率が電池１１の電池残量率を越えていると判定した場合（ステップＳ１８においてＹｅｓ）、電源制御部１７は、再び、電池１１を充電する（ステップＳ１９）。
【００５１】
以上説明したように、本実施形態１によれば、携帯電話機１の電源制御部１７が、ＰＤＡ２の電池２１の電池残量率が電池１１の電池残量率以下になった場合、電源制御部１７が、電池１１への充電を停止するようにした。
【００５２】
従って、ＵＳＢ−ＯＴＧケーブル３の向きを差し替えることなく、マスタの電池の電池残量率がスレーブの電池の電池残量率以下になるのを防止することができる。
また、ＰＤＡ２、携帯電話機１の動作を中断させることなく、携帯電話機１の電池１１への充電制御を行うことができ、通信中の場合でも、通信を継続して行うことができる。
【００５３】
（実施形態２）
実施形態２のものは、電流供給側電子端末の電流供給用電池、電流被供給側電子端末の電池の電池残量として、両電子端末の稼働残り時間を比較するようにしたものである。
実施形態２では、電子端末として、図４に示すように、ＰＤＡ２とコンピュータ４とが用いられた例について説明する。
【００５４】
コンピュータ４は、ＵＳＢケーブル３’に接続されるためのコネクタ４ｃを備える。実施形態２では、コンピュータ４をマスタ、ＰＤＡ２をスレーブとして用いるものとして、コンピュータ４のコネクタ４ｃ、ＰＤＡ２のコネクタ２ｃに、それぞれ、ＵＳＢケーブル３’のＡプラグ３Ａ、Ｂプラグ３Ｂが接続される。
【００５５】
実施形態２に係るコンピュータ４は、図５に示すように、電池４１と、残量検知部４２と、メモリ４３と、表示部４４と、操作部４５と、送受信部４６と、電源制御部４７と、を備える。電池４１、残量検知部４２、メモリ４３、表示部４４、操作部４５、送受信部４６、電源制御部４７は、それぞれ、図２に示す携帯電話機１の電池１１、残量検知部１２、メモリ１３、表示部１４、操作部１５、送受信部１６、電源制御部１７と同様の機能を有する。
【００５６】
次に、実施形態２に係るＰＤＡ２とコンピュータ４との動作を説明する。
ＰＤＡ２の電源制御部２７、コンピュータ４の電源制御部４７は、それぞれ、コネクタ２ｃ、コネクタ４ｃにＵＳＢケーブル３’のプラグが接続されると、スレーブ、マスタとして設定されたことを認識する。
【００５７】
ＰＤＡ２のメモリ２３は、電池２１の全電池容量を予め記憶する。残量検知部２２は、電池２１の現存電池容量を定期的に検知し、検知する毎にメモリ２３に記憶する。コンピュータ４のメモリ４３は、電池４１の全電池容量を予め記憶する。残量検知部４２は、電池４１の現存電池容量を定期的に検知し、検知する毎にメモリ４３に記憶する。
【００５８】
電源制御部２７は、ＰＤＡ２の消費電流と現存電池容量とをメモリ２３から取得し、電池２１の電池残量情報として、次の数１に従ってＰＤＡ２の稼働残り時間Ｈpdaを求める。
【数１】
2005287278.tif 000003
電源制御部２７は、求めた稼働残り時間Ｈpdaをメモリ２３に記憶する。
【００５９】
また、電源制御部４７は、コンピュータ４の消費電流と現存電池容量とをメモリ４３から取得し、コンピュータ４の電池４１の電池残量情報として、次の数２に従ってコンピュータ４の稼働残り時間Ｈpcを求める。
【数２】
2005287278.tif 000004
電源制御部４７は、求めた稼働残り時間Ｈpcをメモリ４３に記憶する。
【００６０】
ＰＤＡ２の電源制御部２７は、メモリ２３からＰＤＡ２の稼働残り時間Ｈpdaを読み出す。また、電源制御部２７は、コンピュータ４に、電池４１の電池残量情報の送信を要求する。コンピュータ４の電源制御部４７は、電池４１の電池残量情報の送信要求を受信して、メモリ４３から電池残量情報として稼働残り時間Ｈpcを読み出し、読み出した電池４１の稼働残り時間ＨpcをＰＤＡ２に送信する。ＰＤＡ２の電源制御部２７は、電池４１の稼働残り時間Ｈpcを受信する。
【００６１】
ＰＤＡ２の電源制御部２７は、稼働残り時間Ｈpdaと稼働残り時間Ｈpcとを比較する。
ＰＤＡ２の電源制御部２７は、コンピュータ４の稼働残り時間ＨpcがＰＤＡ２の稼働残り時間Ｈpdaよりも長ければ、電池２１への充電を行い、稼働残り時間Ｈpcが稼働残り時間Ｈpda以下であれば、電池２１への充電を停止する。
【００６２】
以上説明したように、本実施形態２によれば、電子端末として、ＰＤＡ２とコンピュータ４が用いられ、スレーブとしてのＰＤＡ２の電源制御部２７は、ＰＤＡ２の稼働残り時間Ｈpdaとコンピュータ４の稼働残り時間Ｈpcとに基づいて充電制御を行うようにした。従って、コンピュータ４とＰＤＡ２とは、ＵＳＢケーブル３’を介して電池２１の充電制御を行うことができる。
【００６３】
（実施形態３）
実施形態３のものは、電流供給側電子端末の稼働残り時間と電流被供給側電子端末の稼働残り時間との比較結果に基づいて充電電流を増減するようにしたものである。
【００６４】
実施形態３では、実施形態２と同様に、電子端末として、ＰＤＡ２とコンピュータ４とが用いられた例について説明する。ＰＤＡ２は、実施形態１と同様、図２に示すような構成を有する。コンピュータ４は、実施形態２と同様、図５に示すような構成を有する。
【００６５】
実施形態３のＰＤＡ２の電源制御部２７は、充電モードとして、急速充電モード又は普通充電モーで電池２１への充電が可能となるように構成されている。
【００６６】
普通充電モードは、通常の電流供給量で電池２１を充電するモードである。急速充電モードは、マスタから供給される電流量を、普通充電モード時よりも増やして速やかに電池２１を充電するモードである。
【００６７】
ＰＤＡ２の電源制御部２７は、実施形態２と同様にコンピュータ４の稼働残り時間ＨpcとＰＤＡ２の稼働残り時間Ｈpdaとを比較する。そして、電源制御部２７は、コンピュータ４の稼働残り時間ＨpcがＰＤＡ２の稼働残り時間Ｈpdaよりも長ければ、電池２１への充電を急速充電モードで行う。また、電源制御部２７は、稼働残り時間Ｈpcが稼働残り時間Ｈpda以下であれば、電池２１への充電を普通充電モードで行う。
【００６８】
以上説明したように、実施形態３によれば、稼働残り時間Ｈpcと稼働残り時間Ｈpdaとの比較結果に基づいて、電池２１への充電を、急速充電モード又は普通充電モードで行うようにした。
【００６９】
従って、コンピュータ４の稼働残り時間ＨpcがＰＤＡ２の稼働残り時間Ｈpda以下になった場合でも、電池への電流供給量は、零とはならず、電池への充電制御を精度良く行うことができる。
【００７０】
（実施形態４）
実施形態４のものは、電流供給側電子端末が、電流供給用電池の電圧レベルに基づいて電流被供給側電子端末の電池への充電を制御できるようにしたものである。
【００７１】
実施形態４では、図６に示すように、電子端末として、携帯電話機１とデジタルカメラ５とが用いられた例について説明する。
【００７２】
デジタルカメラ５は、ＵＳＢ−ＯＴＧケーブル３と接続されるためのコネクタ５ｃを備える。実施形態４では、デジタルカメラ５をマスタ、携帯電話機１をスレーブとして用いるものとして、デジタルカメラ５のコネクタ５ｃ、携帯電話機１のコネクタ１ｃに、それぞれ、ＵＳＢ−ＯＴＧケーブル３のＡプラグ３Ａ、Ｂプラグ３Ｂが接続される。
【００７３】
実施形態４に係るデジタルカメラ５は、図７に示すように、電池５１と、残量検知部５２と、メモリ５３と、表示部５４と、操作部５５と、送受信部５６と、電源制御部５７と、を備える。
【００７４】
電池５１、残量検知部５２、メモリ５３、表示部５４、操作部５５、送受信部５６、電源制御部５７は、それぞれ、図２に示す携帯電話機１の電池１１、残量検知部１２、メモリ１３、表示部１４、操作部１５、送受信部１６、電源制御部１７と同様の機能を有する。
【００７５】
電源制御部５７は、電池５１の電圧レベルと、この電圧レベルに対して予め設定された閾値と、を比較して、比較結果に基づいて、デジタルカメラ５の電池５１の電池残量情報の送信を制御する。この閾値は、電池５１の電圧レベルに基づいて、電池５１の電池残量情報の送信を制御できるように予め設定されたものであり、メモリ５３は、この閾値を予め記憶する。
【００７６】
電源制御部５７は、電池５１の電圧レベルが予め設定された閾値を越えている場合、携帯電話機１からの電池残量情報の送信要求があれば、要求のあった電池５１の電池残量情報を携帯電話機１に送信する。
【００７７】
一方、電源制御部５７は、電池５１の電圧レベルが予め設定された閾値以下の場合、携帯電話機１からの電池残量情報の送信要求があると、充電不可であることを携帯電話機１に通知する。
【００７８】
次に、実施形態４に係る携帯電話機１とデジタルカメラ５との動作を説明する。
携帯電話機１とデジタルカメラ５とは、図８に示すフローチャートに従って、充電制御処理を実行する。
【００７９】
携帯電話機１の電源制御部１７は、デジタルカメラ５に電池５１の電池残量情報の送信を要求し（ステップＳ１２）、デジタルカメラ５の電源制御部５７は、電池５１の電池残量情報の送信要求を受信する（ステップＳ１３）。
【００８０】
電源制御部５７は、電池５１の電圧レベルが閾値を越えているか否かを判定する（ステップＳ３１）。
【００８１】
電池５１の電圧レベルが閾値を越えていると判定した場合（ステップＳ３１においてＹｅｓ）、電源制御部５７は、電池５１の電池残量情報をメモリ５３から読み出して、携帯電話機１に送信する（ステップＳ１４，Ｓ１５）。
【００８２】
電池５１の電圧レベルが閾値以下と判定した場合（ステップＳ３１においてＮｏ）、電源制御部５７は、充電不可を携帯電話機１に通知する（ステップＳ３２）。
【００８３】
携帯電話機１の電源制御部１７は、デジタルカメラ５から充電不可の通知があったか否かを判定する（ステップＳ３３）。
【００８４】
デジタルカメラ５から充電不可の通知があったと判定した場合（ステップＳ３３においてＹｅｓ）、電源制御部１７は、電池１１への充電を停止する（ステップＳ２０）。
【００８５】
デジタルカメラ５から充電不可の通知がなかったと判定した場合（ステップＳ３３においてＮｏ）、電源制御部１７は、デジタルカメラ５からの電池残量情報を受信して、実施形態１と同様に、電池１１への充電制御を行う（ステップＳ１６〜Ｓ２０）。
【００８６】
以上説明したように、実施形態４によれば、マスタとしてのデジタルカメラ５の電源制御部５７は、電池５１の電圧レベルと予め設定された閾値とを比較して、電池５１の電圧レベルが閾値以下の場合、スレーブとしての携帯電話機１に充電不可を通知するようにした。従って、携帯電話機１の電池１１への充電制御をマスタ側でも行うことができる。
【００８７】
（実施形態５）
実施形態５のものは、電流供給側電子端末が電流被供給側電子端末の電池への充電を制御するための充電スイッチを備えるようにしたものである。
【００８８】
実施形態５では、実施形態４と同様、図６に示すように、電子端末として、携帯電話機１とデジタルカメラ５とが用いられた例について説明する。
【００８９】
実施形態５に係るデジタルカメラ５は、操作部５５に充電スイッチ（図示せず）を備える。充電スイッチは、携帯電話機１の電池１１の充電制御を指示するためのものであり、ユーザによって操作される。
【００９０】
電源制御部５７は、充電スイッチの開閉状態に基づいて、電池１１への充電を制御する。このため、電源制御部５７は、充電スイッチが押下されたか否かの操作情報を操作部５５から取得する。充電スイッチが押下されている場合、携帯電話機１からの電池残量情報の送信要求があれば、要求のあった電池５１の電池残量情報を携帯電話機１に送信する。
【００９１】
一方、電源制御部５７は、充電スイッチが押下されていなければ、実施形態４と同様、携帯電話機１に充電不可を通知する。携帯電話機１の電源制御部１７は、充電不可の通知があれば、電池１１への充電を停止する。
【００９２】
以上説明したように、実施形態５によれば、マスタとしてのデジタルカメラ５に、充電を許可するための充電スイッチを備えるようにした。従って、マスタ側から、ユーザの操作に従って、スレーブの電池の充電制御を行うことができる。
【００９３】
尚、本発明を実施するにあたっては、種々の形態が考えられ、上記実施形態に限られるものではない。
例えば、上記実施形態１〜３では、スレーブ側の電源制御部が電池への充電を制御するようにした。しかし、マスタ側の電源制御部が、マスタ側の電池の電池残量とスレーブ側の電池の電池残量との比較結果に基づいてスレーブ側の電池への充電を制御することもできる。
【００９４】
上記実施形態１〜４では、２つの電子端末を接続した場合を例として説明した。しかし、電子端末は、必ずしも２つとは限らず、コネクタは増えるものの、３つ以上であってもよく、３つ以上の電子端末間で上記実施形態１〜４と同じように充電制御を行うこともできる。
【００９５】
上記実施形態１〜４では、電子端末として、携帯電話機１、ＰＤＡ２、コンピュータ、デジタルカメラについて説明した。しかし、電子端末は、これらのものに限られるものではなく、例えば、ＭＰ３プレーヤ、ＣＤ（Compact Disk）、ＭＤ（Mini Disc〜商標）、ＭＯ（Magneto-Optic）、ＤＶＤ（Digital Versatile Disk）等の各種ドライブ装置、携帯ラジオであって、充電用電池を備えたものであってもよい。
【図面の簡単な説明】
【００９６】
【図１】本発明の実施形態１に係る携帯電話機とＰＤＡとのシステム構成を示す説明図である。
【図２】図１に示す携帯電話機とＰＤＡとの構成を示すブロック図である。
【図３】図１に示す携帯電話機とＰＤＡとの充電制御処理の内容を示すフローチャートである。
【図４】本発明の実施形態２に係るＰＤＡとコンピュータとのシステム構成を示す説明図である。
【図５】図４に示すコンピュータの構成を示すブロック図である。
【図６】本発明の実施形態４に係る携帯電話機とデジタルカメラとのシステム構成を示す説明図である。
【図７】図６に示すデジタルカメラの構成を示すブロック図である。
【図８】本発明の実施形態４に係る携帯電話機とデジタルカメラとが実行する充電制御処理の内容を示すフローチャートである。
【符号の説明】
【００９７】
１・・・携帯電話機、２・・・ＰＤＡ、３・・・ＵＳＢ−ＯＴＧケーブル、４・・・コンピュータ、５・・・デジタルカメラ、１１、２１、３１、４１、５１・・・電池、１２，２２，３２，４２，５２・・・残量検知部、１７，２７，３７，４７，５７・・・電源制御部
【図１】
2005287278.tif 000005
【図２】
2005287278.tif 000006
【図３】
2005287278.tif 000007
【図４】
2005287278.tif 000008
【図５】
2005287278.tif 000009
【図６】
2005287278.tif 000010
【図７】
2005287278.tif 000011
【図８】
2005287278.tif 000012